(57)【要約】【課題】固定ケースに対するハンドルのロック機構と、ロックシリンダの抜け止め機構の構成部品の一部共用化を行うことによって、扉用ロックハンドル装置の部材費を削減し、装置全体としての製作コストを節減する。【解決手段】前記ロック機構を、ハンドル４の先端部背面に突出形成したロック収容筒部２２と、ロック収容筒部２２に収容され、固定本体１に対する錠止機構を内蔵したロックシリンダ２３と、ロック収容筒部２２から突出したロックシリンダ２３の後端部に固着され、一方の端部２５ａまたは両方の端部２５ａ，２５ｂがロック収容筒部２２の先端面３６に係合するストップタンブラ２５と、固定ケース１の側面壁部３７に形成され、ハンドル４の没入位置においてロックシリンダ２３を錠止位置に回転させたとき、ストップタンブラ２５の一方の端部２５ａが係合する錠止受け部２６とで構成する。【選択図】図２
2008127975.tif 000002
【特許請求の範囲】
【請求項１】
固定ケース１の前後方向の軸筒部２に施錠軸３が嵌挿され、前記施錠軸３の前端部にハンドル４の基端部が横断枢軸５によって連結され、前記施錠軸３の後端部に止め金板８が固着されており、前記施錠軸３と前記ハンドル４の間に、前記ハンドル４が前記固定ケース１に対して没入位置と突出位置の二つの安定状態を交互にとるように付勢するハンドル姿勢保持機構を設けてあり、没入位置にあるとき前記ハンドル４を前記固定ケース１に錠止するロック機構が前記ハンドル４の先端部側に組み込まれている扉用ロックハンドル装置において、前記ロック機構を、
前記ハンドル４の先端部に前記固定ケースの背面壁部９に向かって突出形成されたロック収容筒部２２と、
前記ロック収容筒部２２に回転可能に収容され、前記固定本体１に対する錠止機構を内蔵したロックシリンダ２３と、
前記ロック収容筒部２２の先端開口から突出した前記ロックシリンダ２３の後端部に直径方向に横断して固着され、一方の端部２５ａまたは両方の端部２５ａ，２５ｂが前記ロック収容筒部２２の先端面３６に係合するストップタンブラ２５と、
前記固定ケース１の側面壁部３７に形成され、前記ハンドル４の没入位置において前記ロックシリンダ２３を錠止位置に回転させたとき、前記ストップタンブラ２５の一方の端部２５ａが係合する錠止受け部２６とで構成したことを特徴とする扉用ロックハンドル装置。
【発明の詳細な説明】
【技術分野】
【０００１】
本発明は配電盤や自動販売機等に使用され、平常時の施錠状態ではハンドルが固定ケース内に収納されており、所定の起動操作によってハンドルが固定ケースから突出回転する扉用ロックハンドル装置に関するものである。
【背景技術】
【０００２】
従来の扉用ロックハンドル装置では、 固定ケースの前後方向の軸筒部に施錠軸が嵌挿され、前記施錠軸の前端部にハンドルの基端部が横断枢軸によって連結され、前記施錠軸の後端部に止め金板が固着され、前記施錠軸と前記ハンドルの間に、前記ハンドルが前記固定ケースに対して没入位置と突出位置の二つの安定状態を交互にとるように付勢するハンドル姿勢保持機構を設け、没入位置にあるとき前記ハンドルを前記固定ケースに錠止するロック機構を前記ハンドルの先端部に組み込んであり、前記ロック機構は、
前記ハンドルの先端部に前記固定ケースの背面壁部に向かって突出形成された有底のロック収容筒部と、前記ロック収容筒部に回転可能に収容され、前記ロック収容筒部に対する錠止機構を内蔵したロックシリンダと、前記ロックシリンダが前記ロック収容筒部から抜き取られるのを阻止する抜け止め機構と、前記ロック収容筒部の底部の直径方向の溝孔にスライド可能に収容され、前記ロックシリンダの先端面の偏心カム突起に駆動されて前記ロック収容筒部の側壁部の錠止受け部に係合するロックプレートとで構成されていた（特許文献１参照）。
【０００３】
前記抜け止め機構としては、前記ロック収容筒部の側壁部の貫通孔から前記ロックシリンダの外周面の環状溝に固定ピンを打ち込むようにしたピン方式と、前記ロックシリンダの外周面の受け溝にバネ付勢して収容したＣ−リング状の止め輪を前記ロック収容筒部の内周面の環状溝に係合させるようにした止め輪方式とが知られている。
【０００４】
【特許文献１】特許第３３７３４５８号公報
【発明の開示】
【発明が解決しようとする課題】
【０００５】
本発明の課題は、固定ケースに対するハンドルのロック機構と、ロックシリンダの抜け止め機構の構成部品の一部共用化を行うことによって、扉用ロックハンドル装置の部材費を削減し、装置全体としての製作コストを節減することにある。
【課題を解決するための手段】
【０００６】
本発明の主たる特徴は、固定ケース１の前後方向の軸筒部２に施錠軸３が嵌挿され、前記施錠軸３の前端部にハンドル４の基端部が横断枢軸５によって連結され、前記施錠軸３の後端部に止め金板８が固着されており、前記施錠軸３と前記ハンドル４の間に、前記ハンドル４が前記固定ケース１に対して没入位置と突出位置の二つの安定状態を交互にとるように付勢するハンドル姿勢保持機構を設けてあり、没入位置にあるとき前記ハンドル４を前記固定ケース１に錠止するロック機構が前記ハンドル４の先端部側に組み込まれている扉用ロックハンドル装置において、
前記ロック機構を、前記ハンドル４の先端部に前記固定ケースの背面壁部９に向かって突出形成されたロック収容筒部２２と、
前記ロック収容筒部２２に回転可能に収容され、前記固定本体１に対する錠止機構を内蔵したロックシリンダ２３と、
前記ロック収容筒部２２の先端開口から突出した前記ロックシリンダ２３の後端部に直径方向に横断して固着され、一方の端部２５ａまたは両方の端部２５ａ，２５ｂが前記ロック収容筒部２２の先端面３６に係合するストップタンブラ２５と、
前記固定ケース１の側面壁部３７に形成され、前記ハンドル４の没入位置において前記ロックシリンダ２３を錠止位置に回転させたとき、前記ストップタンブラ２５の一方の端部２５ａが係合する錠止受け部２６とで構成したことである。
【発明の効果】
【０００７】
本発明の扉用ロックハンドル装置では、没入位置にあるハンドル４を固定ケース１に錠止するロック機構は、ハンドル４の先端部に突出形成したロック収容筒部２２と、ロック収容筒部２２に収容され、固定本体１に対する錠止機構を内蔵したロックシリンダ２３と、ロック収容筒部２２から突出したロックシリンダ２３の後端部に固着され、一方の端部２５ａまたは両方の端部２５ａ，２５ｂがロック収容筒部２２の先端面３６に係合するストップタンブラ２５と、固定ケース１の側面壁部３７に形成され、ハンドル４の没入位置においてロックシリンダ２３を錠止位置に回転させたとき、ストップタンブラ２５の一方の端部２５ａが係合する錠止受け部２６とで構成されており、ハンドル４を固定本体１に錠止する機能を有する前記ストップタンブラ２５は、ロックシリンダ２３がロック収容筒部２２から脱出するのを阻止する抜け止め機能をも有している。
【０００８】
このように本発明によれば、固定ケース１に対するハンドル４のロック機構と、ロック収容筒部２２からのロックシリンダ２３の抜け止め機構との間で構成部品の一部共用化が行われているため、扉用ロックハンドル装置の部材費を削減し、装置全体としての製作コストを節減することができる。
【実施例】
【０００９】
この扉用ロックハンドル装置は電気機収納ボックス等の扉２７に取付けられ、図２に示したように前記ハンドル４が前記固定ケース１内に没入した施錠状態においては、前記止め金板８は前記ボックス本体側に設けたストライクに係合して、前記扉２７を前記ボックス本体に対して開放不能に施錠している。
【００１０】
前記ハンドル４が前記固定ケース１に対して没入位置と突出位置の二つの安定状態を交互にとるように付勢するハンドル姿勢保持機構は、前記横断枢軸５の前後方向中心線上において前記固定ケース１の背面壁部９の前面側に形成され、前記止め金板８の前記固着用ねじ孔６と上下に位置をずらせしてオフセット状に配置されたバネ受入れ凹部１０と、前記バネ受入れ凹部１０に収容され、前記横断枢軸５の前後方向中心線に沿って弾性変形する圧縮コイルバネ１１と、前記バネ受入れ凹部１０の前端部に形成した座盤受入れ凹部１２に収容され、前記横断枢軸５の前後方向中心線に沿って移動可能であり、背面に前記圧縮コイルバネ１１の前端が当接する仲介座盤１３と、
前記ハンドル４の基端部背面であって前記横断枢軸５の前後方向中心線よりも基端側に偏位した位置に形成され、前記仲介座盤１３の前面に当接する入力突出部１４とで構成されている。
【００１１】
前記ハンドル４が前記固定ケース１内に没入し、固定ケース１に対して錠止されている状態においては、前記ハンドル４の入力突出部１４は、前記横断枢軸５の前後方向中心線の上側位置において前記仲介座盤１３の前面と当接しているため、圧縮コイルバネ１１の弾性復元力による回転モーメントは、前記横断枢軸５を中心に前記ハンドル４を図２において時計回り方向に回転させる付勢力として働いている。そのため、前記ハンドル４は前記固定ケース１内の没入位置に保持される。
【００１２】
前記横断枢軸５の前後方向中心線よりも上側の位置において前記ハンドル４の基端部前面を操作者が指で押すと、前記ハンドル４は前記時計回り方向の付勢力に打ち勝って、前記横断枢軸５を中心に反時計回り方向に回転を始める。この回転途中で、前記入力突出部１４と前記仲介座盤１３との当接点が、横断枢軸５の前後方向中心線を下側に越えた瞬間に、バネ１１の弾性復元力による回転モーメントは逆転する。
【００１３】
かくして、前記ハンドル４は横断枢軸５を中心に図２において反時計回り方向に回転させられ、ハンドル４の基端背面部２８が固定ケース１の背面壁部９の前面斜面部２９に当接するまで、飛び出し回転させられる。この飛び出し位置において前記ハンドルの主体部分が操作者によって握られ、前記施錠軸３が回されて前記止め金板８が前記ボックス本体側のストライクから離脱し、前記扉２７が解錠される。解錠された扉２７は、前記ハンドル４を手前に引くことによって開放される。
【００１４】
図示の実施例では、前記施錠軸３は大径部３ａと小径部３ｂとで構成され、前記大径部３ａの後端部外周面に形成された環状溝１５には、前記軸筒部２の内周面に当接するリング状のシール部材１６が収容されている。前記小径部３ｂの根元部外周面には、前記軸筒部２の後端部開口１８の内周面に当接するリング状のシール部材１９が嵌められている。厚板状の止め金板８の前面に形成された角型凹部２０には、前記施錠軸３の小径部３ｂの後端角軸部３５が相対回転不能に嵌合されている。
【００１５】
前記止め金板８の固着用ねじ孔６は前記施錠軸３の中心線上に配置されており、前記バネ受入れ凹部１０の形成基準線である前記横断枢軸５の前後方向中心線は、前記固着用ねじ孔６よりも下側に位置をずらせたオフセット状に配置されている。前記ハンドル４の基端部正面に形成された指押し凹部２１は、前記横断枢軸５の上側に配置され、操作者によって握られる前記ハンドル４の主体部分は、前記横断枢軸５の下側に伸びている。
【００１６】
前記ハンドル４の主体部分の下部には、前記ロック収容筒部２２が背面側に突出している。前記ロック収容筒部２２に回転可能に収容された前記ロックシリンダ２３には、前面側に開口した鍵穴２４から所定の鍵（図示していない）を挿入したとき、前記ロック収容筒部２２に対する前記ロックシリンダ２３の錠止を解除するように設定されたピンタンブラ方式やディスクタンブラ方式あるいはサイドバー方式等といった公知の錠止機構が内蔵されている。前記ロック収容筒部２２の内面には、前記錠止機構を構成するピンタンブラ等の錠止部材が係合する錠止溝３８を９０度間隔に設けてある。
【００１７】
前記ロックシリンダ２３の先端部には、前記ロック収容筒部２２の先端面３６より抜け出た部位に横断方向の溝孔３９が形成されており、板状のストップタンブラ２５が前記溝孔３９に圧入固着されようになっている。図３に示したように前記ストップタンブラ２５の一対の脚部の外側辺には、各２箇所に係止肩部４０，４１が形成されている。図８に示したように前記溝孔３９の一対の内壁面には、各２箇所に係止段部４２，４３が形成されており、これら係止段部４２，４３と前記係止肩部４０，４１との弾性係合によって、前記ストップタンブラ２５は前記溝孔３９からの脱出を阻止される。
【００１８】
前記ロックシリンダ２３の前記ハンドル４への装着は、正面側からロックシリンダ２３を前記ロック収容筒部２２にロックシリンダ２３を挿入した後、前記溝孔３９に前記ストップタンブラ２５を圧入することによって行われる。
【００１９】
前記固定ケース１の背面壁部９の中央部には、固定ケースの取付用のアダプタ３０の固着用ねじ孔３１が前後方向に形成されている。前記固定本体１は、前記扉２７の装着用開口３２に前面方向から挿入され、前記扉２７の背面方向から前記アダプタ３０が固定ケース１の背面壁部９に被せられ、前記アダプタ３０の貫通孔３３から挿入されたボルト３４が、前記固着用ねじ孔３１に螺合される。前記ボルト３４の締め込みによって、前記アダプタ３０が扉２７の背面に押し当てられ、前記固定本体１の外周鍔部が扉２７の前面に押し当てられ、固定ケース１が扉２７に取り付けられる。
【図面の簡単な説明】
【００２０】
【図１】本発明の一実施例に係る扉用ロックハンドル装置の施錠状態の正面図である。
【図２】図１のＡ−Ａ線断面図である。
【図３】図１の扉用ロックハンドル装置に組み込んだストップタンブラの正面図である。
【図４】図１の扉用ロックハンドル装置に組み込んだロックシリンダの正面図である。
【図５】図４のロックシリンダの右側面図である。
【図６】図４のロックシリンダの背面図である。
【図７】図１の扉用ロックハンドル装置において、ハンドルのロック収容筒部にロックシリンダを挿入し、ロックシリンダの後端部にストップタンブラを圧入固着したときの要部縦断面図である。
【図８】図７のＢ−Ｂ線断面図である。
【図９】図１の扉用ロックハンドル装置において、ストップタンブラの端部が固定ケースの錠止受け部に係合した状態を示す要部横断面図である。
【符号の説明】
【００２１】
１    固定ケース
２    固定ケースの軸筒部
３    施錠軸
３ａ  施錠軸の大径部
３ｂ  施錠軸の小径部  
４    ハンドル
５    横断枢軸
６    固着用ねじ孔
７    ボルト
８    止め金板
９    固定ケースの背面壁部
１０    バネ受入れ凹部
１１    圧縮コイルバネ
１２    座盤受入れ凹部
１３    仲介座盤
１４    ハンドルの入力突出部
１５    施錠軸の大径部の環状溝
１６    シール部材
１８    軸筒部の後端部開口
１９    シール部材
２０    止め金板の角型凹部
２１    ハンドルの指押し部
２２    ハンドルのロック収容筒部
２３    ロックシリンダ
２４    鍵穴
２５    ストップタンブラ
２５ａ  ストップタンブラの端部
２５ｂ  ストップタンブラの端部
２６    固定ケースの錠止受け部
２７    扉
２８    ハンドルの基端背面部
２９    固定ケースの背面壁部の前面斜面部
３０    取付用アダプタ
３１    アダプタの固着用ねじ孔
３２    扉の装着用開口
３３    アダプタの貫通孔
３４    固着用ボルト
３５    施錠軸の後端角軸部
３６    ロック収容筒部先端面
３７    固定ケースの側面壁部
３８    ロック収容筒部の錠止溝
３９    ロック収容筒部の溝孔
４０    ストップタンブラの係止肩部
４１    ストップタンブラの係止肩部
４２    溝孔の係止段部
４３    溝孔の係止段部
【図１】
2008127975.tif 000003
【図２】
2008127975.tif 000004
【図３】
2008127975.tif 000005
【図４】
2008127975.tif 000006
【図５】
2008127975.tif 000007
【図６】
2008127975.tif 000008
【図７】
2008127975.tif 000009
【図８】
2008127975.tif 000010
【図９】
2008127975.tif 000011
【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
固定ケース１の前後方向の軸筒部２に施錠軸３が嵌挿され、前記施錠軸３の前端部にハン
ドル４の基端部が横断枢軸５によって連結され、前記施錠軸３の後端部に止め金板８が固
着されており、前記施錠軸３と前記ハンドル４の間に、前記ハンドル４が前記固定ケース
１に対して没入位置と突出位置の二つの安定状態を交互にとるように付勢するハンドル姿
勢保持機構を設けてあり、没入位置にあるとき前記ハンドル４を前記固定ケース１に錠止
するロック機構が前記ハンドル４の先端部側に組み込まれている扉用ロックハンドル装置
において、前記ロック機構を、
前記ハンドル４の先端部に前記固定ケースの背面壁部９に向かって突出形成されたロック
収容筒部２２と、
前記ロック収容筒部２２に回転可能に収容され、前記固定本体１に対する錠止機構を内蔵
したロックシリンダ２３と、
前記ロック収容筒部２２の先端開口から突出した前記ロックシリンダ２３の後端部に直径
方向に横断して固着され、両方の端部２５ａ，２５ｂが前記ロック収容筒部２２の先端面３６に係合する二股板状のストップタンブラ２５と、
前記固定ケース１の側面壁部３７に形成され、前記ハンドル４の没入位置において前記ロ
ックシリンダ２３を錠止位置に回転させたとき、前記ストップタンブラ２５の一方の端部
２５ａが係合する錠止受け部２６とで構成し、
前記ロックシリンダ２３の先端部であって前記ロック収容筒部２２の先端面３６より抜け出た部位に横断方向の溝孔３９を形成し、前記二股板状のストップタンブラ２５の一対の脚部の各外側辺に係止肩部４０，４１を長さ方向に沿って段差を付けて各２箇所に形成し、前記溝孔３９の一対の内壁面に係止段部４２，４３を長さ方向に沿って段差を付けて各２箇所に形成してあり、
前記ロックシリンダ２３をハンドル４の正面側から前記ロック収容筒部２２に挿入した後、
前記二股板状のストップタンブラ２５をその長さ方向に沿って前記溝孔３９に圧入して、前記係止段部４２，４３と前記係止肩部４０，４１を弾性係合させるようにしたことを特徴とする扉用ロックハンドル装置。
【手続補正２】
【補正対象書類名】明細書
【補正対象項目名】全文
【補正方法】変更
【補正の内容】
【発明の詳細な説明】
【技術分野】
【０００１】
本発明は配電盤や自動販売機等に使用され、平常時の施錠状態ではハンドルが固定ケース
内に収納されており、所定の起動操作によってハンドルが固定ケースから突出回転する扉
用ロックハンドル装置に関するものである。
【背景技術】
【０００２】
従来の扉用ロックハンドル装置では、
固定ケースの前後方向の軸筒部に施錠軸が嵌挿さ
れ、前記施錠軸の前端部にハンドルの基端部が横断枢軸によって連結され、前記施錠軸の
後端部に止め金板が固着され、前記施錠軸と前記ハンドルの間に、前記ハンドルが前記固
定ケースに対して没入位置と突出位置の二つの安定状態を交互にとるように付勢するハン
ドル姿勢保持機構を設け、没入位置にあるとき前記ハンドルを前記固定ケースに錠止する
ロック機構を前記ハンドルの先端部に組み込んであり、前記ロック機構は、
前記ハンドルの先端部に前記固定ケースの背面壁部に向かって突出形成された有底のロッ
ク収容筒部と、前記ロック収容筒部に回転可能に収容され、前記ロック収容筒部に対する
錠止機構を内蔵したロックシリンダと、前記ロックシリンダが前記ロック収容筒部から抜
き取られるのを阻止する抜け止め機構と、前記ロック収容筒部の底部の直径方向の溝孔に
スライド可能に収容され、前記ロックシリンダの先端面の偏心カム突起に駆動されて前記
ロック収容筒部の側壁部の錠止受け部に係合するロックプレートとで構成されていた（特
許文献１参照）。
【０００３】
前記抜け止め機構としては、前記ロック収容筒部の側壁部の貫通孔から前記ロックシリン
ダの外周面の環状溝に固定ピンを打ち込むようにしたピン方式と、前記ロックシリンダの
外周面の受け溝にバネ付勢して収容したＣ−リング状の止め輪を前記ロック収容筒部の内
周面の環状溝に係合させるようにした止め輪方式とが知られている。
【０００４】
【特許文献１】特許第３３７３４５８号公報
【発明の開示】
【発明が解決しようとする課題】
【０００５】
本発明の課題は、固定ケースに対するハンドルのロック機構と、ロックシリンダの抜け止
め機構の構成部品の一部共用化を行うことによって、扉用ロックハンドル装置の部材費を
削減し、装置全体としての製作コストを節減することにある。
【課題を解決するための手段】
【０００６】
本発明の主たる特徴は、固定ケース１の前後方向の軸筒部２に施錠軸３が嵌挿され、前記
施錠軸３の前端部にハンドル４の基端部が横断枢軸５によって連結され、前記施錠軸３の
後端部に止め金板８が固着されており、前記施錠軸３と前記ハンドル４の間に、前記ハン
ドル４が前記固定ケース１に対して没入位置と突出位置の二つの安定状態を交互にとるよ
うに付勢するハンドル姿勢保持機構を設けてあり、没入位置にあるとき前記ハンドル４を
前記固定ケース１に錠止するロック機構が前記ハンドル４の先端部側に組み込まれている
扉用ロックハンドル装置において、
前記ロック機構を、前記ハンドル４の先端部に前記固定ケースの背面壁部９に向かって突
出形成されたロック収容筒部２２と、
前記ロック収容筒部２２に回転可能に収容され、前記固定本体１に対する錠止機構を内蔵
したロックシリンダ２３と、
前記ロック収容筒部２２の先端開口から突出した前記ロックシリンダ２３の後端部に直径
方向に横断して固着され、両方の端部２５ａ，２５ｂが前記ロック収容筒部２２の先端面３６に係合する二股板状のストップタンブラ２５と、
前記固定ケース１の側面壁部３７に形成され、前記ハンドル４の没入位置において前記ロ
ックシリンダ２３を錠止位置に回転させたとき、前記ストップタンブラ２５の一方の端部
２５ａが係合する錠止受け部２６とで構成し、
前記ロックシリンダ２３の先端部であって前記ロック収容筒部２２の先端面３６より抜け出た部位に横断方向の溝孔３９を形成し、前記二股板状のストップタンブラ２５の一対の脚部の各外側辺に係止肩部４０，４１を長さ方向に沿って段差を付けて各２箇所に形成し、前記溝孔３９の一対の内壁面に係止段部４２，４３を長さ方向に沿って段差を付けて各２箇所に形成してあり、
前記ロックシリンダ２３をハンドル４の正面側から前記ロック収容筒部２２に挿入した後、
前記二股板状のストップタンブラ２５をその長さ方向に沿って前記溝孔３９に圧入して、前記係止段部４２，４３と前記係止肩部４０，４１を弾性係合させるようにしたことである。
【発明の効果】
【０００７】
本発明の扉用ロックハンドル装置では、没入位置にあるハンドル４を固定ケース１に錠止
するロック機構は、ハンドル４の先端部に突出形成したロック収容筒部２２と、ロック収
容筒部２２に収容され、固定本体１に対する錠止機構を内蔵したロックシリンダ２３と、
ロック収容筒部２２から突出したロックシリンダ２３の後端部に固着され、両方の端部２５ａ，２５ｂがロック収容筒部２２の先端面３６に係合する二股板状のストップタンブラ２５と、固定ケース１の側面壁部３７に形成され、ハンドル４の没入位置においてロックシリンダ２３を錠止位置に回転させたとき、二股板状のストップタンブラ２５の一方の端部２５ａが係合する錠止受け部２６とで構成してあり、
前記ロックシリンダ２３の先端部であって前記ロック収容筒部２２の先端面３６より抜け出た部位に横断方向の溝孔３９を形成し、前記二股板状のストップタンブラ２５の一対の脚部の各外側辺に係止肩部４０，４１を長さ方向に沿って段差を付けて各２箇所に形成し、前記溝孔３９の一対の内壁面に係止段部４２，４３を長さ方向に沿って段差を付けて各２箇所に形成してあり、
前記ロックシリンダ２３をハンドル４の正面側から前記ロック収容筒部２２に挿入した後、
前記二股板状のストップタンブラ２５をその長さ方向に沿って前記溝孔３９に圧入して、前記係止段部４２，４３と前記係止肩部４０，４１を弾性係合させたので、前記ストップタンブラ２５の前記溝孔３９からの脱出と、前記ロックシリンダ２３の前記ロック収容筒部２２からの脱出がともに阻止されることになり、ハンドル４を固定本体１に錠止する機能を有する前記ストップタンブラ２５は、ロックシリンダ２３がロック収容筒部２２から脱出するのを阻止する抜け止め機能をも有している。
【０００８】
このように本発明によれば、固定ケース１に対するハンドル４のロック機構と、ロック収
容筒部２２からのロックシリンダ２３の抜け止め機構との間で構成部品の一部共用化が行
われているため、扉用ロックハンドル装置の部材費を削減し、装置全体としての製作コス
トを節減することができる。
【実施例】
【０００９】
この扉用ロックハンドル装置は電気機収納ボックス等の扉２７に取付けられ、図２に示し
たように前記ハンドル４が前記固定ケース１内に没入した施錠状態においては、前記止め
金板８は前記ボックス本体側に設けたストライクに係合して、前記扉２７を前記ボックス
本体に対して開放不能に施錠している。
【００１０】
前記ハンドル４が前記固定ケース１に対して没入位置と突出位置の二つの安定状態を交互
にとるように付勢するハンドル姿勢保持機構は、前記横断枢軸５の前後方向中心線上にお
いて前記固定ケース１の背面壁部９の前面側に形成され、前記止め金板８の前記固着用ね
じ孔６と上下に位置をずらせしてオフセット状に配置されたバネ受入れ凹部１０と、前記
バネ受入れ凹部１０に収容され、前記横断枢軸５の前後方向中心線に沿って弾性変形する
圧縮コイルバネ１１と、前記バネ受入れ凹部１０の前端部に形成した座盤受入れ凹部１２
に収容され、前記横断枢軸５の前後方向中心線に沿って移動可能であり、背面に前記圧縮
コイルバネ１１の前端が当接する仲介座盤１３と、
前記ハンドル４の基端部背面であって前記横断枢軸５の前後方向中心線よりも基端側に偏
位した位置に形成され、前記仲介座盤１３の前面に当接する入力突出部１４とで構成され
ている。
【００１１】
前記ハンドル４が前記固定ケース１内に没入し、固定ケース１に対して錠止されている状
態においては、前記ハンドル４の入力突出部１４は、前記横断枢軸５の前後方向中心線の
上側位置において前記仲介座盤１３の前面と当接しているため、圧縮コイルバネ１１の弾
性復元力による回転モーメントは、前記横断枢軸５を中心に前記ハンドル４を図２におい
て時計回り方向に回転させる付勢力として働いている。そのため、前記ハンドル４は前記
固定ケース１内の没入位置に保持される。
【００１２】
前記横断枢軸５の前後方向中心線よりも上側の位置において前記ハンドル４の基端部前面
を操作者が指で押すと、前記ハンドル４は前記時計回り方向の付勢力に打ち勝って、前記
横断枢軸５を中心に反時計回り方向に回転を始める。この回転途中で、前記入力突出部１
４と前記仲介座盤１３との当接点が、横断枢軸５の前後方向中心線を下側に越えた瞬間に
、バネ１１の弾性復元力による回転モーメントは逆転する。
【００１３】
かくして、前記ハンドル４は横断枢軸５を中心に図２において反時計回り方向に回転させ
られ、ハンドル４の基端背面部２８が固定ケース１の背面壁部９の前面斜面部２９に当接
するまで、飛び出し回転させられる。この飛び出し位置において前記ハンドルの主体部分
が操作者によって握られ、前記施錠軸３が回されて前記止め金板８が前記ボックス本体側
のストライクから離脱し、前記扉２７が解錠される。解錠された扉２７は、前記ハンドル
４を手前に引くことによって開放される。
【００１４】
図示の実施例では、前記施錠軸３は大径部３ａと小径部３ｂとで構成され、前記大径部３
ａの後端部外周面に形成された環状溝１５には、前記軸筒部２の内周面に当接するリング
状のシール部材１６が収容されている。前記小径部３ｂの根元部外周面には、前記軸筒部
２の後端部開口１８の内周面に当接するリング状のシール部材１９が嵌められている。厚
板状の止め金板８の前面に形成された角型凹部２０には、前記施錠軸３の小径部３ｂの後
端角軸部３５が相対回転不能に嵌合されている。
【００１５】
前記止め金板８の固着用ねじ孔６は前記施錠軸３の中心線上に配置されており、前記バネ
受入れ凹部１０の形成基準線である前記横断枢軸５の前後方向中心線は、前記固着用ねじ
孔６よりも下側に位置をずらせたオフセット状に配置されている。前記ハンドル４の基端
部正面に形成された指押し凹部２１は、前記横断枢軸５の上側に配置され、操作者によっ
て握られる前記ハンドル４の主体部分は、前記横断枢軸５の下側に伸びている。
【００１６】
前記ハンドル４の主体部分の下部には、前記ロック収容筒部２２が背面側に突出している
。前記ロック収容筒部２２に回転可能に収容された前記ロックシリンダ２３には、前面側
に開口した鍵穴２４から所定の鍵（図示していない）を挿入したとき、前記ロック収容筒
部２２に対する前記ロックシリンダ２３の錠止を解除するように設定されたピンタンブラ
方式やディスクタンブラ方式あるいはサイドバー方式等といった公知の錠止機構が内蔵さ
れている。前記ロック収容筒部２２の内面には、前記錠止機構を構成するピンタンブラ等
の錠止部材が係合する錠止溝３８を９０度間隔に設けてある。
【００１７】
前記ロックシリンダ２３の先端部には、前記ロック収容筒部２２の先端面３６より抜け出
た部位に横断方向の溝孔３９が形成されており、板状のストップタンブラ２５が前記溝孔
３９に圧入固着されようになっている。図３に示したように前記ストップタンブラ２５の
一対の脚部の外側辺には、各２箇所に係止肩部４０，４１が形成されている。図８に示し
たように前記溝孔３９の一対の内壁面には、各２箇所に係止段部４２，４３が形成されて
おり、これら係止段部４２，４３と前記係止肩部４０，４１との弾性係合によって、前記
ストップタンブラ２５は前記溝孔３９からの脱出を阻止される。
【００１８】
前記ロックシリンダ２３の前記ハンドル４への装着は、正面側からロックシリンダ２３を
前記ロック収容筒部２２にロックシリンダ２３を挿入した後、前記溝孔３９に前記ストッ
プタンブラ２５を圧入することによって行われる。
【００１９】
前記固定ケース１の背面壁部９の中央部には、固定ケースの取付用のアダプタ３０の固着
用ねじ孔３１が前後方向に形成されている。前記固定本体１は、前記扉２７の装着用開口
３２に前面方向から挿入され、前記扉２７の背面方向から前記アダプタ３０が固定ケース
１の背面壁部９に被せられ、前記アダプタ３０の貫通孔３３から挿入されたボルト３４が
、前記固着用ねじ孔３１に螺合される。前記ボルト３４の締め込みによって、前記アダプ
タ３０が扉２７の背面に押し当てられ、前記固定本体１の外周鍔部が扉２７の前面に押し
当てられ、固定ケース１が扉２７に取り付けられる。
【図面の簡単な説明】
【００２０】
【図１】本発明の一実施例に係る扉用ロックハンドル装置の施錠状態の正面図である。
【図２】図１のＡ−Ａ線断面図である。
【図３】図１の扉用ロックハンドル装置に組み込んだストップタンブラの正面図である。
【図４】図１の扉用ロックハンドル装置に組み込んだロックシリンダの正面図である。
【図５】図４のロックシリンダの右側面図である。
【図６】図４のロックシリンダの背面図である。
【図７】図１の扉用ロックハンドル装置において、ハンドルのロック収容筒部にロックシリンダを挿入し、ロックシリンダの後端部にストップタンブラを圧入固着したときの要部縦断面図である。
【図８】図７のＢ−Ｂ線断面図である。
【図９】図１の扉用ロックハンドル装置において、ストップタンブラの端部が固定ケースの錠止受け部に係合した状態を示す要部横断面図である。
【符号の説明】
【００２１】
１    固定ケース
２    固定ケースの軸筒部
３    施錠軸
３ａ  施錠軸の大径部
３ｂ  施錠軸の小径部  
４    ハンドル
５    横断枢軸
６    固着用ねじ孔
７    ボルト
８    止め金板
９    固定ケースの背面壁部
１０    バネ受入れ凹部
１１    圧縮コイルバネ
１２    座盤受入れ凹部
１３    仲介座盤
１４    ハンドルの入力突出部
１５    施錠軸の大径部の環状溝
１６    シール部材
１８    軸筒部の後端部開口
１９    シール部材
２０    止め金板の角型凹部
２１    ハンドルの指押し部
２２    ハンドルのロック収容筒部
２３    ロックシリンダ
２４    鍵穴
２５    ストップタンブラ
２５ａ  ストップタンブラの端部
２５ｂ  ストップタンブラの端部
２６    固定ケースの錠止受け部
２７    扉
２８    ハンドルの基端背面部
２９    固定ケースの背面壁部の前面斜面部
３０    取付用アダプタ
３１    アダプタの固着用ねじ孔
３２    扉の装着用開口
３３    アダプタの貫通孔
３４    固着用ボルト
３５    施錠軸の後端角軸部
３６    ロック収容筒部先端面
３７    固定ケースの側面壁部
３８    ロック収容筒部の錠止溝
３９    ロック収容筒部の溝孔
４０    ストップタンブラの係止肩部
４１    ストップタンブラの係止肩部
４２    溝孔の係止段部
４３    溝孔の係止段部